(57)【要約】      （修正有）【課題】有脚のソファであって、分離して容易に運搬ができ、また、ソファの下方に脚部を設けても崩壊することのない強度に優れた組立連結式ソファを提供する。【解決手段】複数の座部２１を連設した座部連結体２と、複数の背凭れ部３１を連設した背凭れ部連結体３と、左右の肘掛け部４と、これらの下方から垂設した複数の脚部５とからなり、座部２１及び背凭れ部３１を軽量化した一つのユニットとして形成し、これらを強固に連結することにより崩壊せず、座部連結体２の下方に空間を形成する。【選択図】図１
0003220172.tif 000002
【実用新案登録請求の範囲】
【請求項１】
複数の座部を分離可能に連設した座部連結体を備え、当該座部連結体の下方から脚部を垂設し、前記脚部が座部連結体を支持することで座部連結体の下方に空間が形成されることを特徴とする組立連結式ソファ。
【請求項２】
前記座部連結体の後方に連結され、複数の背凭れ部を分離可能に連設した背凭れ部連結体を備え、前記座部連結体又は背凭れ部連結体の下方から脚部を垂設し、当該脚部が座部連結体及び背凭れ部連結体を支持することで座部連結体及び背凭れ部連結体の下方に空間が形成される請求項１に記載の組立連結式ソファ。
【請求項３】
前記座部連結体の左右に肘掛け部を備え、当該肘掛け部の下方から脚部を垂設し、当該脚部が座部連結体、背凭れ部連結体及び肘掛け部を支持することで座部連結体、背凭れ部連結体及び肘掛け部の下方に空間が形成される請求項１又は２のいずれかに記載の組立連結式ソファ。
【請求項４】
前記座部は、当該座部の周側面に沿って形成されたフレームを備え、複数の座部を連結する際、隣り合う座部のフレーム同士を当接させて固定具で固定してなる請求項１乃至３のいずれかに記載の組立連結式ソファ。
【請求項５】
前記座部は、平面視略ロ字型に形成されたフレームと当該フレームの座面側開口部に設けられた衝撃吸収材と当該フレーム及び衝撃吸収材を被覆する張地とからなる一つのユニットとして構成され、隣り合うフレームを固定具により固定し、当該ユニットを連結することにより座部連結体を形成する請求項１乃至４のいずれかに記載の組立連結式ソファ。
【請求項６】
前記座部は、フレームの左右の側板にジグザグ状に固定具が固定されてなる請求項４又は５のいずれかに記載の組立連結式ソファ。
【請求項７】
前記座部は、前記フレームの下方側を被覆する張地を備え、当該下方側の張地を開閉可能とし、前記フレームに囲まれた座部の内部空間を露出可能としている請求項４乃至６のいずれかに記載の組立連結式ソファ。
【請求項８】
前記複数の背凭れ部は、夫々の背凭れ部の周側面に沿って形成されたフレームを備え、複数の背凭れ部を連結する際、隣り合う背凭れ部のフレーム同士を当接させて固定具で固定してなる請求項２乃至７のいずれかに記載の組立連結式ソファ。
【請求項９】
前記背凭れ部は、背凭れ側に前記座部の背凭れ側の外側面に当接する第一連結面を備え、
前記座部の背凭れ側の外側面は、前記第一連結面と当接する第二連結面として形成されている請求項２乃至８のいずれかに記載の組立連結式ソファ。
【請求項１０】
前記背凭れ部は、少なくとも前記フレームの後方側を被覆する張地を備え、当該後方側の張地を開閉可能とし、前記フレームに囲まれた背凭れ部の内部空間を露出可能としている請求項８及び９のいずれかに記載の組立連結式ソファ。
【考案の詳細な説明】
【技術分野】
【０００１】
本考案は、運搬容易に分離でき、連結して組み立てることのできる組立連結式ソファに関する。
【背景技術】
【０００２】
昨今、家具の分野において、運搬作業の容易化又は運搬コストの増大に対応するべく、当該家具を各部材に分離して搬送し、各家庭等の搬送先にて組立てを行う組立式の家具が提供されている。
【０００３】
例えば、一人分の座面領域を有する直方体形状の座体と、座体の後端部から立設されるように座体に連結可能であり、一人分の背面領域を有する直方体形状の背凭れ体と、左右の肘掛体とを備え、当該座体、背凭れ体及び肘掛体の表面に設けた凸部と係合凹部とを係合して着脱可能に連結したことにより、これら各部材を簡単に組み立てることができ、その上、各部材を簡単に分離し、それぞれを別個に梱包して運搬することにより、運搬性を向上させることができるソファが提供されている（特許文献１）。
【先行技術文献】
【特許文献】
【０００４】
【特許文献１】実用新案登録第３１８５５７１号公報
【考案の概要】
【考案が解決しようとする課題】
【０００５】
現在、一般的に市販されているソファの多くは、前記特許文献１に記載のソファのように、座体、背凭れ体及び肘掛け体によって構成され、当該座体等の下面全体が床面に接する無脚のソファのほか、当該座体、背凭れ体及び肘掛け体の下方に脚部を設けた有脚のソファも流通している。当該有脚のソファは、その座体等の下方に空間が形成されるため、無脚のソファに比べ、その下方及び後方の床面を容易に掃除することができ、また、床面から座面までの高さで座体が形成される無脚のソファに比べて軽量であって床面との接地面も少ないため、模様替え時等でも気軽に移動させることができるといった作業性も良好であり、さらに、重厚な外観になりやすい前記無脚のソファに比べて、カジュアルでオシャレな印象を需要者に与えやすい。そのため、実際、多数の有脚のソファが市販されており、多くの需要者に好まれ利用されている。
【０００６】
前記一般的なソファは、前記脚部の有無にかかわらず、その構成全体の幅等に変わりはないため、いずれも梱包及び運搬作業が容易ではなく、また、運搬コストも増大する。そこで、前記特許文献１に記載の無脚のソファでは、複数の座体及び背凭れ体を各側面に設けた凸部及び係合凹部を係止して着脱可能にすることで、各部材を簡単に分離し、それぞれを別個に梱包して運搬することにより、運搬性を向上させることができるようにしている。
【０００７】
しかしながら、現状において、このように分離可能にした有脚のソファは提供されておらず、また、このようなソファの組立連結方法をそのまま有脚のソファに適用すると、例えば、仮に一般的な有脚のソファのように、座体の下方の四隅から、または、左右の肘掛け部の前後の各下方から脚部を設けた場合、特許文献１のように前記座体等の連結方法が係止部のみによって連結すると、脚部によって浮いた座体等がそれ自体の重み又は着座者の重みに耐えきれず、連結した各部材が崩壊するおそれがあり、強度上の問題が生じ得る。
【０００８】
また、前記連結方法を前記係止部からボルトとナット等のような強固に固定して連結することのできる固定具に単に変更した場合であっても、前記特許文献１に記載の考案のような比較的重量のある座体を三つ以上に複数連結し、且つ、座体の下方の四隅から、または、左右の肘掛け部の前後の各下方から脚部を設けた場合には、依然として比較的重量のある座体が崩壊するおそれを解消し得ず、強度上の問題を克服したとは言えない。
【０００９】
そこで、本考案は、有脚のソファであって、分離して容易に運搬ができ、また、ソファの下方に脚部を設けても崩壊することのない強度に優れた組立連結式ソファを提供することを課題とした。
【課題を解決するための手段】
【００１０】
上記課題を解決するために、本考案は次のように構成した。すなわち、本考案に係る組立連結式ソファは、複数の座部を分離可能に連設した座部連結体を備え、当該座部連結体の下方から脚部を垂設し、前記脚部が座部連結体を支持することで座部連結体の下方に空間が形成されることを特徴としている。
【００１１】
また、組立連結式ソファは、好ましくは、前記座部連結体の後方に連結され、複数の背凭れ部を分離可能に連設した背凭れ部連結体を備え、前記座部連結体又は背凭れ部連結体の下方から脚部を垂設し、当該脚部が座部連結体及び背凭れ部連結体を支持することで座部連結体及び背凭れ部連結体の下方に空間が形成されることを特徴としている。
【００１２】
また、組立連結式ソファは、好ましくは、前記座部連結体の左右に肘掛け部を備え、当該肘掛け部の下方から脚部を垂設し、当該脚部が座部連結体、背凭れ部連結体及び肘掛け部を支持することで座部連結体、背凭れ部連結体及び肘掛け部の下方に空間が形成されることを特徴としている。
【００１３】
また、組立連結式ソファは、好ましくは、前記座部が、当該座部の周側面に沿って形成されたフレームを備え、複数の座部を連結する際、隣り合う座部のフレーム同士を当接させて固定具で固定してなることを特徴としている。
【００１４】
また、組立連結式ソファは、好ましくは、前記座部が、平面視略ロ字型に形成されたフレームと当該フレームの座面側開口部に設けられた衝撃吸収材と当該フレーム及び衝撃吸収材を被覆する張地とからなる一つのユニットとして構成され、隣り合うフレームを固定具により固定し、当該ユニットを連結することにより座部連結体を形成することを特徴としている。
【００１５】
また、組立連結式ソファは、好ましくは、前記座部が、フレームの左右の側板にジグザグ状に固定具が固定されてなることを特徴としている。
【００１６】
また、組立連結式ソファは、好ましくは、前記座部が、前記フレームの下方側を被覆する張地を備え、当該下方側の張地を開閉可能とし、前記フレームに囲まれた座部の内部空間を露出可能としていることを特徴としている。
【００１７】
また、組立連結式ソファは、好ましくは、前記複数の背凭れ部が、夫々の背凭れ部の周側面に沿って形成されたフレームを備え、複数の背凭れ部を連結する際、隣り合う背凭れ部のフレーム同士を当接させて固定具で固定してなることを特徴としている。
【００１８】
また、組立連結式ソファは、好ましくは、前記背凭れ部が、背凭れ側に前記座部の背凭れ側の外側面に当接する第一連結面を備え、前記座部の背凭れ側の外側面が、前記第一連結面と当接する第二連結面として形成されていることを特徴としている。
【００１９】
さらに、組立連結式ソファは、好ましくは、前記背凭れ部が、少なくとも前記フレームの後方側を被覆する張地を備え、当該後方側の張地を開閉可能とし、前記フレームに囲まれた背凭れ部の内部空間を露出可能としている
【考案の効果】
【００２０】
本考案に係る組立連結式ソファによれば、有脚のソファであるため、床面の掃除又は模様替え等のための移動が容易であり、また、重厚な印象を想起させる無脚のソファとは異なり、座部を床面から浮かせたカジュアルな印象でデザイン性にも優れるとともに、各座部、各背凭れ部、左右の肘掛け部又は脚部を分離して容易に運搬することができ、且つ、運搬コストを低減することができる。
【００２１】
また、座部及び背凭れ部に前記フレームを備えたことにより、各座部及び背凭れ部ごとの重量を軽量化することができ、また、隣り合う座部及び背凭れ部において、前記フレームを当接させて固定具により強固に固定することができる。このように当該座部及び背凭れ部の軽量化及びフレーム当接による強固な各部材の固定により、ソファ全体としての強度を確保することができ、下方に脚部を垂設して各部材を浮かせても、各部材の崩壊を防止することができる。
【００２２】
また、前記座部を簡易且つ軽量な構成で一つのユニットとして形成したことにより、梱包から座部を出した使用者は、隣り合う座部の当接するフレームを固定具で固定することにより、容易且つ強固にこれらを連結し、迅速に組立連結式ソファを組み立てることができる。また、このように当該座部の軽量化及びフレーム当接による強固な固定により、強度を確保することができ、下方に脚部を垂設して座部連結体を浮かせても、その崩壊を防止することができる。
【００２３】
また、前記座部のフレームの左右の側板でジグザグ状に固定具を固定したことにより、組立連結式ソファに座った使用者の重量や衝撃を分散し、連結された座部が崩壊しないよう強度の向上に寄与することができる。
【００２４】
また、前記第一連結面及び第二連結面を備えたことにより、前記座部（又は座部連結体）及び背凭れ部（又は背凭れ部連結体）を強固に固定でき、ソファ全体としての強度を確保することができるとともに、ソファの下方に脚部を設けて空間を設けても各部材の崩壊を防止することができる。
【００２５】
さらに、前記座部の下方側及び前記背凭れ部の後方側の張地を開閉可能としたことにより、前記座部や背凭れ部のフレーム及び第一連結面のフレーム内側面を露出させ、容易に前記座部連結体及び背凭れ部連結体を組み立てることができ、また、組立後のメンテナンスも容易に行うことができる。
【図面の簡単な説明】
【００２６】
【図１】本考案に係る第一実施例の組立連結式ソファの構造を示す斜視図である。
【図２】座部の構造を示す図である。
【図３】背凭れ部の構造を示す図である。
【図４】第一実施例の組立連結式ソファの構造を示す展開斜視図である。
【図５】第一実施例の組立連結式ソファの構造を示す展開斜視図である。
【図６】第二実施例の組立連結式ソファの構造を示す展開斜視図である。
【図７】第三実施例の組立連結式ソファの構造を示す展開斜視図である。
【図８】第四実施例の組立連結式ソファの構造を示す展開斜視図である。
【図９】他の実施例の組立連結式ソファの構造を示す斜視図である。
【図１０】他の実施例の組立連結式ソファの構造を示す展開斜視図である。
【考案を実施するための形態】
【００２７】
以下、図面に基づいて本考案を具体的に説明する。まず、図１乃至５を用いて第一実施例の組立連結式ソファ１について具体的に説明する。図１は、本考案に係る組立連結式ソファ１の構造を示す斜視図である。当該組立連結式ソファ１は、基本的な構成として、座部連結体２、背凭れ部連結体３、左右一対の肘掛け部４及び脚部５によって構成されている。左右一対の肘掛け部４は、デザインや機能上、組立連結式ソファ１の構成要素としない場合もあるが、ここでは当該肘掛け部４も含めた組立連結式ソファ１について説明する。
【００２８】
座部連結体２は、略立方体形状に形成された座部２１を水平方向に複数連結して構成されている。当該座部連結体２は、本実施例では、三つの座部２１を連結して構成したが、二つ以上の複数の座部２１を連結するように構成することもでき、組立連結式ソファ１を載置する部屋のサイズや座部２１に座る人数等、実際に使用する使用者の嗜好等に応じて連結する座部２１の数を決定すればよい。また、一つの座部２１の左右両側に肘掛け部４を設けた組立連結式ソファ１とすることもできる。なお、図示の破線で示した符号Ｘは、前記座部２１と平面視で同サイズに形成したクッションＸであって、組立連結ソファ１を組み立てた後、複数の座部２１の夫々の上面にクッションＸが載置される。
【００２９】
背凭れ部連結体３は、前記座部２１の数に応じて連結された背凭れ部３１により構成されており、前記座部連結体２の後方に連結されている。当該背凭れ部３１は、前記座部２１に応じた幅で、座部２１よりも上方に突出する高さで形成され、座部２１に座った使用者が背凭れ可能になっている。なお、当該背凭れ部３１の背凭れ側には、図示はしないが、前記座部２１と同様、使用者の座り心地の良さを考慮し、クッション材を背凭れ部３１の表面に寄り掛からせて設置してもよい。
【００３０】
肘掛け部４は、前記座部連結体２及び背凭れ部連結体３の左右両端側に連結されている。肘掛け部４の下方からは、その前後に脚部５が垂設されており、当該複数の脚部５が座部連結体２、背凭れ部連結体３及び肘掛け部４を支持することでこれら構成要素の下方に空間が形成される。
【００３１】
図２は、前記座部２１の構造を示す図であって、図２（ａ）は、その底面図であり、図２（ｂ）は、そのＡ−Ａ’断面図である。座部２１は、基本的には、平面視略ロ字型に形成されたフレーム２２と、当該フレーム２２の座面側開口部に設けた衝撃吸収材２３と、当該フレーム２２及び衝撃吸収材２３を被覆する張地２４とから構成されている。
【００３２】
フレーム２２は、基本的には、座部２１の周側面に沿って平面視略ロ字型に形成されており、その側板の内表面の上下に補強材２２ａと、前板及び後板の内表面の上下に補強材２２ｂ及び補強材２２ｃと、略ロ字型の内側四隅に平面視三角形の補強材２２ｄが設けられている。フレーム２２は、本実施例では、各座部２１の軽量化のために木製であるが、その他、金属製又は合成樹脂製とすることも可能である。なお、これら座部２１に用いる補強材は、本実施例の構成に限られるものではなく、座部２１の強度を確保できれば、適宜変更可能であり、また、補強材を用いない構成としてもよい。
【００３３】
衝撃吸収材２３は、前記フレーム２２の座面側開口部に前後方向に橋架した複数のＳ字バネ２３ａと、左右の側板から複数のＳ字バネ２３ａのうち両側のＳ字バネ２３ａに絡ませて設けたウェービングテープ２３ｂと、Ｓ字バネを補強するために各Ｓ字バネを結ぶ紐状の補強材２３ｃとから構成されている。座部２１の軽量化と使用者が座部２１に座った際の衝撃吸収の観点から、衝撃吸収材２３の構成は本実施例の通りとするのが好ましいが、これに限らず、使用者が座る際の衝撃を吸収しながら軽量化も図ることができれば、当該衝撃吸収材２３はどのような構成であってもよい。
【００３４】
張地２４は、前記フレーム２２及び衝撃吸収材２３を被覆するものであって、一般的な素材の布地で形成されている。なお、フレーム２２の内部構造を説明するため、ここでは図示していないが、座部２２の下方側、すなわち、フレーム２２の下方の開口側にも張地２４は形成されている。当該下方側の張地２４は、前記フレーム２２の下端部に沿って平面視コ字型の切れ目が形成されており、当該切れ目にファスナーや面ファスナー等を配して開閉可能となっている。または、前記フレーム２２の下方側開口部の形状に沿った下方用の張地２４を別途備え、前記略ロ字型のフレーム２２の下端部に沿って前記張地２４に面ファスナーを配し、当該下方用の張地２４を着脱することにより開閉可能としてもよい。このようにして、当該下方の張地２４を開くことにより、フレーム２２の内部を露出させ、座部２１同士又は背凭れ部３１との連結作業、または、前記各補強材や衝撃吸収材２３のメンテナンス等を行うことができる。なお、フレーム２２及び衝撃吸収材２３は少なくともその開閉可能とした底面側以外が被覆されていれば、組立連結式ソファ１の組立後のデザイン上、問題は生じない。
【００３５】
このように座部２１は、平面視略ロ字型のフレーム２２と、衝撃吸収材２３と、張地２４という少ない構成で、人一人が座ることのできる一人用で、軽量且つ強度に優れた一つのユニットとして形成されている。このように形成されたユニットは、搬送された組立前の組立連結式ソファを受け取った使用者が、梱包から各ユニットを出して組み立てた際、当該座部２１のユニットの座面側にそのまま、或いは、図１に示すようにクッションを載置することで、すぐに座ることができる。このように、座部２１をユニット化したことにより、搬送を容易にすることができるだけでなく、組立連結式ソファ１の組立をも迅速且つ容易にすることができる。
【００３６】
図３は、前記背凭れ部３１の構造を示す図であって、図３（ａ）は、その正面図であり、図３（ｂ）は、その背面図であり、図３（ｃ）は、そのＢ−Ｂ’断面図である。背凭れ部３１は、基本的には、正面視略ロ字型に形成されたフレーム３２と、当該フレーム３２の背凭れ側開口部の上方に設けた衝撃吸収材３３と、背凭れ側開口部の下端側に設けた第一連結面３４とから構成されている。
【００３７】
当該フレーム３２は、基本的には、背凭れ部３１の周側面に沿って正面視略ロ字型に形成されており、左右の側板を橋架するようにして補強材３２ａが設けられている。当該補強材３２ａは、本実施例では、背凭れ部３１の前方及び後方の夫々に設けたが、これに限られるものではなく、背凭れ部３１の形状によってはその形状に応じて適宜補強材３２ａを設ければよく、また、フレーム３２の形状によって十分な強度を確保できれば補強材３２ａを設けなくてもよい。フレーム３２は、本実施例では、各背凭れ部３１の軽量化のために木製であるが、その他、金属製又は合成樹脂製とすることも可能である。
【００３８】
衝撃吸収材３３は、前記フレーム３２の背凭れ側上方の開口部に十字状に設けられたウェービングテープであって、使用者が背凭れ部３１に凭れかけた際、その衝撃を吸収することができるようになっている。なお、当該衝撃吸収材３３は、本実施例のようにウェービングテープを十字状に設ける以外にも、Ｘ字状又は格子状等に設けてもよく、その設置方法は限定されるものではない。また、ウェービングテープ以外でも、使用者が凭れかけた際の衝撃を吸収することができ、背凭れ部３１の軽量化を図ることができれば、どのような構成であってもよい。
【００３９】
第一連結面３４は、前記フレーム３２の背凭れ側開口部の下端側に設けた板状であって、前記座部２１の周側面のうち、少なくとも背凭れ側の外側面が第二連結面２１ａとして当該第一連結面３４と当接することにより（図４及び図５参照。）、座部２１（座部連結体２）と背凭れ部３１（背凭れ部連結体３）とを連結することができるように構成されている。なお、第一連結面３４の後方側表面には、その上下端に補強材３４ａが設けられている。なお、これら背凭れ部３１に用いる補強材は、本実施例の構成に限られるものではなく、座部２１の強度を確保できれば、適宜変更可能であり、また、補強材を用いない構成としてもよい。
【００４０】
なお、図３では特に図示はしないが、背凭れ部３１も前記座部２１と同様、その構成要素を張地３５（図５参照。）によって被覆されており、後方の張地３５を開閉可能とすることにより、フレーム３２の内部を露出させ、背凭れ部３１同士又は前記座部２１との連結作業、または、前記各補強材や衝撃吸収材３３のメンテナンス等を行うことができる。
【００４１】
このように背凭れ部３１は、正面視略ロ字型のフレーム３２と、衝撃吸収材３３と、第一連結面３４と、張地３５という少ない構成で、人一人が凭れかけることのできる一人用で、軽量且つ強度に優れた一つのユニットとして形成されている。このように背凭れ部３１もユニット化したことにより、前記座部２１と同様、組立連結式ソファ１の搬送の容易化、組立の迅速化及び容易化に貢献できる。
【００４２】
図４は、組立連結式ソファ１の構造を示す斜め底面視の展開図であり、図５は、組立連結式ソファ１の構造を示す斜め背面視の展開図である。なお、図示の都合上、図中、前記衝撃吸収材２３及び衝撃吸収材３３の表示は省略している。また、座部２１の下方の張地２４の表示も前記図２と同様省略しているが、図５に示すように、背凭れ部３１の張地３５は表示しており、前述の通り、その後方が開閉可能に形成されている。
【００４３】
前記複数の座部２１は、フレーム２２の左右の側板に設けた挿通孔Ａにボルトαを挿通し、隣り合うもう一方の座部２１の内側からナットβを締めることにより連結される。当該挿通孔Ａは、側板の表面に対して上下にジグザグ状に形成されており、組立連結式ソファ１に座った使用者の重量や衝撃を分散し、連結された座部２１が崩壊しないよう強度の向上に寄与している。なお、当該座部２１等を連結するための固定具は、ボルトα又はナットβに限られるものではない。
【００４４】
複数の背凭れ部３１は、フレーム３２の左右の側板に設けた挿通孔Ａにボルトαを挿通し、隣り合うもう一方の背凭れ部３１の内側からナットβを締めることにより連結される。当該挿通孔Ａは、左右の側板の夫々に少なくとも上下２つが設けられている。
【００４５】
このように座部２１を連結した座部連結体２及び背凭れ部３１を連結した背凭れ部連結体３は、背凭れ部３１の背凭れ側下方に設けた第一連結面３４と第二連結面２１ａとしての座部２１の背凭れ側の外側面とを当接させ、第一連結面３４及び第二連結面２１ａに設けた挿通孔Ａにボルトαを挿通し、背凭れ部３１の背面側からナットβを締めることにより連結される。なお、当該座部２１及び背凭れ部３１を連結するための固定具は、ボルトα又はナットβに限られるものではない。
【００４６】
そして、肘掛け部４が当該座部連結体２及び背凭れ部連結体３の左右両側に当接され、ボルトα及びナットβで締めることにより連結される。当該肘掛け部４は、その下方の前後に脚部５が垂設されており、当該複数の脚部５によって座部連結体２、背凭れ部連結体３及び肘掛け部４を支持する。これにより、これら構成の下方に空間が形成される。
【００４７】
また、図４に示すように、座部２１の側端部の下方には、座部２１の下方の左右両端のいずれか一方に脚部５が中脚として垂設されている。当該中脚の脚部５は、予備的に座部連結体２を支持するようになっている。また、このように中脚の脚部５を設けた場合、座部連結体２の下方で複数の脚部をバランスよく配設して需要者に重厚な印象を与えることもなく、より強固に各座部を支持することで座部等の崩壊を防止することができ、より安全に組立連結式ソファ１を使用することができる。
【００４８】
このような組立連結式ソファ１によれば、有脚のソファであるため、床面の掃除又は模様替え等のための移動が容易であり、また、重厚な印象を想起させる無脚のソファとは異なり、座部２１を床面から浮かせたカジュアルな印象でデザイン性にも優れるとともに、各座部２１、各背凭れ部３１、左右の肘掛け部４又は各脚部５を分離して容易に運搬することができ、且つ、運搬コストを低減することができる。
【００４９】
また、前記座部２１及び背凭れ部３１を簡易且つ軽量な構成で一つのユニットとして形成したことにより、梱包から座部２１及び背凭れ部３１を出した使用者は、座部２１及び背凭れ部３１のフレーム２２、３２、または、前記第一連結面３４及び第二連結面２１ａを当接させてボルトα及びナットβで締めることにより、容易且つ強固にこれらを連結し、迅速に組立連結式ソファ１を組み立てることができる。また、このように当該座部２１及び背凭れ部３１の軽量化及びフレーム当接による強固な各部材の固定により、ソファ全体としての強度を確保することができ、下方に脚部を垂設して各部材を浮かせても、各部材の崩壊を防止することができる。
【００５０】
次に、第二実施例の組立連結式ソファ１について図６を用いて具体的に説明する。図６は、当該実施例の組立連結式ソファ１の構造を示す斜め底面視の展開図である。なお、前記第一実施例との違いは、脚部５にあるため、特に脚部５についてのみ説明する。
【００５１】
当該組立連結式ソファ１の脚部５は、座部２１を連結した座部連結体２の左右両端からその前後で、フレーム２２の前板及び後板の内表面の上下に設けた補強材２２ｃの下方から垂設されている。このように、座部２１の下方に脚部を設けてもよく、そのため、左右の肘掛け部４に脚部５を設ける必要はない。この際、前記実施例と同様に、図示の通り、安全上、中脚としての脚部５を設けてもよい。また、座部２１の下方に脚部５を設けたことにより、左右の肘掛け部４を設けないというデザイン上の選択肢も得られ、且つ、肘掛け部４を搬送する必要がないため、より搬送が容易にすることもできる。
【００５２】
また、当該左右両端の脚部５は、その後方の脚部５を背凭れ部３１の下方から垂設してもよく、当該左右両端の脚部５は、組立連結式ソファ１の構造等を考慮し、選択的に、座部２１、背凭れ部３１又は肘掛け部４の下方から垂設することができる。
【００５３】
次に、第三実施例の組立連結式ソファ１について図７を用いて具体的に説明する。図７は、当該実施例の組立連結式ソファ１の構造を示す斜め底面視の展開図である。本実施例の組立連結式ソファ１は、左右の肘掛け部４とその下方に垂設した脚部５が一体に形成されており、また、前方に前桟部材６が設けられている。当該前桟部材６は、前記左右の肘掛け部４の前方で下方に延設されたそれぞれの脚部５の間に配設され、複数の前桟部材６が当該前桟部材６の背面側の前桟連結材６１によって連結されている。
【００５４】
なお、「肘掛け部４の下方に脚部５が垂設される」には、当該実施例のような肘掛け部４と一体に形成されたものも含むものである。また、第一実施例等の図示において、脚部５は、逆円錐台形状で形成されているが、これに限られるものではなく、座部連結体２の下面に相当する高さから下方に突出し、少なくとも座部連結体２を支持するものであって、その下方に空間を形成するものであればよい。
【００５５】
また、当該実施例の組立連結材ソファ１に係る座部２１は、その前端部が前記前桟部材６の上方に載置されるように固定されている。このように、前桟部材６を設け、座部２１の前端部を載置することにより、より強固に座部２１を支持することができる。
【００５６】
このように、組立連結式ソファ１は、前記肘掛け部４と脚部５を一体に形成してもよいし、前方に前桟部材６を設けて座部２１を載置するように構成することもできる。
【００５７】
次に、第四実施例の組立連結式ソファ１について図８を用いて具体的に説明する。図８は、当該実施例の組立連結式ソファ１の構造を示す斜め底面視の展開図である。本実施例の組立連結式ソファ１では、前記第二実施例の組立連結式ソファ１とは異なり、背凭れ部連結体３及び肘掛け部４が構成されておらず、座部２１を連設した座部連結体２及びその下方から垂設された複数の脚部５とから構成されている。脚部５は、座部連結体２の左右側端部の前後と中脚としての脚部５が座部連結体２の下方から垂設されている。
【００５８】
このように、当該組立連結式ソファ１は、より簡易な構成のソファとすることも可能であり、前記実施例の構成も含め、分離連結可能であるがゆえ、使用される場面や場所によってその構成を種々変更することが可能である。
【００５９】
また、前記各実施例の組立連結式ソファ１は、二つ以上の複数の座部２１及び背凭れ部３１を連結することにより構成されたが、実際の使用時においては、図９及び図１０に示すように、１つの座部２１及び背凭れ部３１の左右両側に肘掛け部４を設け、これらの下方に脚部５を設けて使用することも可能である。このように、使用者は、最初の組立連結式ソファ１の購入時には、１つの座部２１及び背凭れ部３１で使用し、その後、例えば、家族や同居人等が増えたり、広い部屋に引越ししたりした場合等に、さらに座部２１及び背凭れ部３１を購入し、当該座部２１及び背凭れ部３１を連結して増設することにより、二つ以上の座部２１及び背凭れ部３１を連結した組立連結式ソファ１として使用することもできる。また、逆に、場合によっては、複数の座部２１及び背凭れ部３１を設けた組立連結式ソファ１から座部２１及び背凭れ部３１を減設して使用することも可能であり、使用者の状況に応じて適宜変更可能である。
【符号の説明】
【００６０】
１    組立連結式ソファ
２    座部連結体
２１  座部
２２  フレーム
２３  衝撃吸収材
２４  張地
３    背凭れ部連結体
３１  背凭れ部
３２  フレーム
３３  衝撃吸収材
３４  第一連結面
３５  張地
４    肘掛け部
５    脚部
６    前桟部材
６１  前桟連結材
【図１】
0003220172.tif 000003
【図２】
0003220172.tif 000004
【図３】
0003220172.tif 000005
【図４】
0003220172.tif 000006
【図５】
0003220172.tif 000007
【図６】
0003220172.tif 000008
【図７】
0003220172.tif 000009
【図８】
0003220172.tif 000010
【図９】
0003220172.tif 000011
【図１０】
0003220172.tif 000012
【手続補正書】
【提出日】平成30年12月17日(2018.12.17)
【手続補正１】
【補正対象書類名】実用新案登録請求の範囲
【補正対象項目名】全文
【補正方法】変更
【補正の内容】
【実用新案登録請求の範囲】
【請求項１】
複数の座部を分離可能に連設した座部連結体を備え、当該座部連結体の下方から脚部を垂設し、前記脚部が座部連結体を支持することで座部連結体の下方に空間が形成されることを特徴とする組立連結式ソファ。
【請求項２】
前記座部連結体の後方に連結され、複数の背凭れ部を分離可能に連設した背凭れ部連結体を備え、前記座部連結体又は背凭れ部連結体の下方から脚部を垂設し、当該脚部が座部連結体及び背凭れ部連結体を支持することで座部連結体及び背凭れ部連結体の下方に空間が形成される請求項１に記載の組立連結式ソファ。
【請求項３】
前記座部連結体の左右に肘掛け部を備え、当該肘掛け部の下方から脚部を垂設し、当該脚部が座部連結体、背凭れ部連結体及び肘掛け部を支持することで座部連結体、背凭れ部連結体及び肘掛け部の下方に空間が形成される請求項２に記載の組立連結式ソファ。
【請求項４】
前記座部は、当該座部の周側面に沿って形成された座部フレームを備え、複数の座部を連結する際、隣り合う座部フレーム同士を当接させて固定具で固定してなる請求項１乃至３のいずれかに記載の組立連結式ソファ。
【請求項５】
前記座部は、平面視略ロ字型に形成された座部フレームと当該座部フレームの座面側開口部に設けられた衝撃吸収材と当該座部フレーム及び衝撃吸収材を被覆する張地とからなる一つのユニットとして構成され、隣り合う座部用フレームを固定具により固定し、当該ユニットを連結することにより座部連結体を形成する請求項４に記載の組立連結式ソファ。
【請求項６】
前記座部は、座部フレームの左右の側板にジグザグ状に固定具が固定されてなる請求項４又は５のいずれかに記載の組立連結式ソファ。
【請求項７】
前記座部は、前記座部フレームの下方側を被覆する張地を備え、当該下方側の張地を開閉可能とし、前記座部フレームに囲まれた座部の内部空間を露出可能としている請求項４乃至６のいずれかに記載の組立連結式ソファ。
【請求項８】
前記複数の背凭れ部は、夫々の背凭れ部の周側面に沿って形成された背凭れ部フレームを備え、複数の背凭れ部を連結する際、隣り合う背凭れ部フレーム同士を当接させて固定具で固定してなる請求項２乃至３に記載の組立連結式ソファ。
【請求項９】
前記背凭れ部は、背凭れ側に前記座部の背凭れ側の外側面に当接する第一連結面を備え、
前記座部の背凭れ側の外側面は、前記第一連結面と当接する第二連結面として形成されている請求項８に記載の組立連結式ソファ。
【請求項１０】
前記背凭れ部は、少なくとも前記背凭れ部フレームの後方側を被覆する張地を備え、当該後方側の張地を開閉可能とし、前記背凭れ部フレームに囲まれた背凭れ部の内部空間を露出可能としている請求項８及び９のいずれかに記載の組立連結式ソファ。
【手続補正２】
【補正対象書類名】明細書
【補正対象項目名】００１３
【補正方法】変更
【補正の内容】
【００１３】
また、組立連結式ソファは、好ましくは、前記座部が、当該座部の周側面に沿って形成された座部フレームを備え、複数の座部を連結する際、隣り合う座部フレーム同士を当接させて固定具で固定してなることを特徴としている。
【手続補正３】
【補正対象書類名】明細書
【補正対象項目名】００１４
【補正方法】変更
【補正の内容】
【００１４】
また、組立連結式ソファは、好ましくは、前記座部が、平面視略ロ字型に形成された座部フレームと当該座部フレームの座面側開口部に設けられた衝撃吸収材と当該座部フレーム及び衝撃吸収材を被覆する張地とからなる一つのユニットとして構成され、隣り合う座部フレームを固定具により固定し、当該ユニットを連結することにより座部連結体を形成することを特徴としている。
【手続補正４】
【補正対象書類名】明細書
【補正対象項目名】００１５
【補正方法】変更
【補正の内容】
【００１５】
また、組立連結式ソファは、好ましくは、前記座部が、座部フレームの左右の側板にジグザグ状に固定具が固定されてなることを特徴としている。
【手続補正５】
【補正対象書類名】明細書
【補正対象項目名】００１６
【補正方法】変更
【補正の内容】
【００１６】
また、組立連結式ソファは、好ましくは、前記座部が、前記座部フレームの下方側を被覆する張地を備え、当該下方側の張地を開閉可能とし、前記座部フレームに囲まれた座部の内部空間を露出可能としていることを特徴としている。
【手続補正６】
【補正対象書類名】明細書
【補正対象項目名】００１７
【補正方法】変更
【補正の内容】
【００１７】
また、組立連結式ソファは、好ましくは、前記複数の背凭れ部が、夫々の背凭れ部の周側面に沿って形成された背凭れ部フレームを備え、複数の背凭れ部を連結する際、隣り合う背凭れ部フレーム同士を当接させて固定具で固定してなることを特徴としている。
【手続補正７】
【補正対象書類名】明細書
【補正対象項目名】００１９
【補正方法】変更
【補正の内容】
【００１９】
さらに、組立連結式ソファは、好ましくは、前記背凭れ部が、少なくとも前記背凭れ部フレームの後方側を被覆する張地を備え、当該後方側の張地を開閉可能とし、前記背凭れ部フレームに囲まれた背凭れ部の内部空間を露出可能としている。
【手続補正８】
【補正対象書類名】明細書
【補正対象項目名】００２１
【補正方法】変更
【補正の内容】
【００２１】
また、座部及び背凭れ部に前記座部フレームと背凭れ部フレームを備えたことにより、各座部及び背凭れ部ごとの重量を軽量化することができ、また、隣り合う座部及び背凭れ部において、前記各フレームを当接させて固定具により強固に固定することができる。このように当該座部及び背凭れ部の軽量化及びフレーム当接による強固な各部材の固定により、ソファ全体としての強度を確保することができ、下方に脚部を垂設して各部材を浮かせても、各部材の崩壊を防止することができる。
【手続補正９】
【補正対象書類名】明細書
【補正対象項目名】００２２
【補正方法】変更
【補正の内容】
【００２２】
また、前記座部を簡易且つ軽量な構成で一つのユニットとして形成したことにより、梱包から座部を出した使用者は、隣り合う座部の当接する座部フレームを固定具で固定することにより、容易且つ強固にこれらを連結し、迅速に組立連結式ソファを組み立てることができる。また、このように当該座部の軽量化及びフレーム当接による強固な固定により、強度を確保することができ、下方に脚部を垂設して座部連結体を浮かせても、その崩壊を防止することができる。
【手続補正１０】
【補正対象書類名】明細書
【補正対象項目名】００２３
【補正方法】変更
【補正の内容】
【００２３】
また、前記座部フレームの左右の側板でジグザグ状に固定具を固定したことにより、組立連結式ソファに座った使用者の重量や衝撃を分散し、連結された座部が崩壊しないよう強度の向上に寄与することができる。
【手続補正１１】
【補正対象書類名】明細書
【補正対象項目名】００２５
【補正方法】変更
【補正の内容】
【００２５】
さらに、前記座部の下方側及び前記背凭れ部の後方側の張地を開閉可能としたことにより、前記座部フレームや背凭れ部フレーム及び第一連結面のフレーム内側面を露出させ、容易に前記座部連結体及び背凭れ部連結体を組み立てることができ、また、組立後のメンテナンスも容易に行うことができる。
【手続補正１２】
【補正対象書類名】明細書
【補正対象項目名】００３１
【補正方法】変更
【補正の内容】
【００３１】
図２は、前記座部２１の構造を示す図であって、図２（ａ）は、その底面図であり、図２（ｂ）は、そのＡ−Ａ’断面図である。座部２１は、基本的には、平面視略ロ字型に形成された座部フレーム２２（以下、フレーム２２と記す）と、当該フレーム２２の座面側開口部に設けた衝撃吸収材２３と、当該フレーム２２及び衝撃吸収材２３を被覆する張地２４とから構成されている。
【手続補正１３】
【補正対象書類名】明細書
【補正対象項目名】００３６
【補正方法】変更
【補正の内容】
【００３６】
図３は、前記背凭れ部３１の構造を示す図であって、図３（ａ）は、その正面図であり、図３（ｂ）は、その背面図であり、図３（ｃ）は、そのＢ−Ｂ’断面図である。背凭れ部３１は、基本的には、正面視略ロ字型に形成された背凭れ部フレーム３２（以下、フレーム３２と記す）と、当該フレーム３２の背凭れ側開口部の上方に設けた衝撃吸収材３３と、背凭れ側開口部の下端側に設けた第一連結面３４とから構成されている。
【手続補正１４】
【補正対象書類名】明細書
【補正対象項目名】００６０
【補正方法】変更
【補正の内容】
【００６０】
１    組立連結式ソファ
２    座部連結体
２１  座部
２２  座部フレーム
２３  衝撃吸収材
２４  張地
３    背凭れ部連結体
３１  背凭れ部
３２  背凭れ部フレーム
３３  衝撃吸収材
３４  第一連結面
３５  張地
４    肘掛け部
５    脚部
６    前桟部材
６１  前桟連結材